【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
上側部分はパンチ・ホルダのためのヘッド・ユニットを含み、下側部分は前記パンチ・ホルダのためのパンチ結合ユニットを含み、前記上側部分は前記下側部分に対して動作的に結合されながらも選択的に調節可能である上側部分及び下側部分とを含むパンチ・ホルダであって、
第１カラーは前記上側部分の横方向の広がりを取り囲み、前記第１カラーが前記下側部分に対する位置に関して運動可能であり、これにより前記カラーの運動は、前記パンチ・ホルダの全高を相応に調節することを可能にし、前記第１カラーが前記上側部分に動作的に結合されており、前記第１カラーの運動の結果として前記上側部分を相応に運動させ、前記第１カラーは回転を介してのみ運動可能であり、
前記第１カラーは前記第１カラーに加えられる回転力で回転を介してのみ運動可能であり、前記回転力の付与は、パンチホルダの高さを調節するために使用者に要求される第１カラーに対する単一アクションであることを特徴とする、
パンチ・ホルダ。
【請求項２】
第２カラーが前記下側部分の横方向の広がりを取り囲み、前記第２カラーが前記下側部分に対する位置に関して運動可能であり、これにより前記第２カラーの運動は、前記下側部分によって保持されたパンチに対する前記下側部分のロック形態からロック解除形態へのシフトに相当し、前記第２カラーが前記下側部分の突出端部の周りに動作的に保持されており、前記第２カラーは回転を介してのみ運動可能である、第２カラーと、をさらに含む請求項１に記載のパンチ・ホルダ。
【請求項３】
前記第２カラーが前記第２カラーに加えられた回転力を介して回転可能であり、前記回転力の付与は、工具を必要とすることなしに使用者の片手を介して単一段階で実施することができる、請求項２に記載のパンチ・ホルダ。
【請求項４】
前記下側部分の突出端部がハブであり、前記ハブは一つまたは２つ以上の孔を有するように構成されており、前記孔は第２カラーの内面に構成された一つまたは２つ以上のキャビティと相応に整合し、
さらに、対応する前記孔内及びキャビティ内に部分的に保持された１つ又は２つ以上の保持部材を含み、前記１つ又は２つ以上の保持部材が前記対応の孔内及びキャビティ内に保持される範囲が、前記第２カラーの位置に依存する、請求項２に記載のパンチ・ホルダ。
【請求項５】
前記ハブが、パンチの結合端部を収納するための内側凹部を有するように構成されており、前記孔のそれぞれが前記凹部に向かって内方へ開いており、前記１つ又は２つ以上の保持部材が前記孔から出て前記凹部内に突入する範囲が、前記第２カラーの位置に依存し、これにより前記下側部分のロック形態からロック解除形態へのシフトが、前記凹部内への突入範囲を小さくして前記対応キャビティ内へ延びる範囲を大きくするために前記保持部材がスライドして後退することに相当する、請求項４に記載のパンチ・ホルダ。
【請求項６】
さらに、前記下側部分のロック形態で前記内側凹部に保持されたプランジャを含み、前記プランジャが前記第２カラーの回転を介して前記凹部内で解放されるように形成されており、解放されたときの前記プランジャは、前記保持部材を前記凹部から強制的に外し、さらにパンチを前記凹部から強制的に外すようになっている、請求項５に記載のパンチ・ホルダ。
【請求項７】
前記内側凹部内で解放されたときの前記プランジャは、前記孔と整合するように構成されており、これにより前記保持部材が前記対応孔から出て前記凹部内に突入するのを防止し、前記プランジャと前記孔との整合の結果、前記第２カラーが回転位置でロックされ、前記下側部分がロック解除形態を成すことになる、請求項６に記載のパンチ・ホルダ。
【請求項８】
前記プランジャが前記内側凹部内で選択的に運動可能であり、前記第２カラーは回転して回転前位置へ戻るように付勢されており、前記プランジャが解放位置から凹部内へ戻る結果、第２カラーが回転して回転前位置へ戻り、そして前記保持部材が前記対応孔から前記凹部内へ延び、前記第２カラーが前記回転前位置にあることは、前記下側部分がロック形態を成すことに相当する、請求項６に記載のパンチ・ホルダ。
【請求項９】
前記回転力の付与は、工具を必要とすることなしに使用者の片手を介して単一段階で実施することができる、請求項１に記載のパンチ・ホルダ。
【請求項１０】
前記第１カラーが、前記上側部分のヘッドで前記上側部分に動作的に結合されている、請求項１に記載のパンチ・ホルダ。
【請求項１１】
前記第１カラーの回転が、前記下側部分に対する前記上側部分の鉛直方向の調節に相当する、請求項１０に記載のパンチ・ホルダ。
【請求項１２】
前記上側部分が雄ねじ山を有するハブを含み、前記下側部分が雌ねじ山を有する凹部を含み、前記上側部分は、前記凹部のねじ山に対して前記ハブのねじ山を螺合させて調節することを介して、前記下側部分に対して動作的に結合されながらも鉛直方向位置で調節可能である、請求項１１に記載のパンチ・ホルダ。
【請求項１３】
前記上側部分のヘッドが、前記ヘッドの横方向外面に構成された複数の切り欠きを有しており、前記切り欠きが前記横方向外面の周りに均一に分配されている、請求項１１に記載のパンチ・ホルダ。
【請求項１４】
さらに、前記第１カラーと前記ヘッドとの間に保持された１つ又は２つ以上のインデックス部材を含み、前記１つ又は２つ以上のインデックス部材は、前記第１カラーの回転に応じてヘッドの横方向外面の周りで前記複数の切り欠きの内外に移動するようになっており、隣接する切り欠きの間のインデックス部材の移動は、下側部分に対する上側部分の対応する高さ調節量を表す、請求項１３に記載のパンチ・ホルダ。
【請求項１５】
前記第１カラーが前記上側部分のヘッドの下で前記上側部分に動作的に結合されている、請求項１に記載のパンチ・ホルダ。
【請求項１６】
前記第１カラーの回転が、前記上側部分に対する前記下側部分の鉛直方向の調節に相当する、請求項１５に記載のパンチ・ホルダ。
【請求項１７】
前記上側部分が雌ねじ山を有する凹部を含み、前記下側部分が雄ねじ山を有するハブを含み、前記上側部分は、前記凹部のねじ山に前記ハブのねじ山を螺合させることを介して、前記下側部分に動作的に結合されている、請求項１６に記載のパンチ・ホルダ。
【請求項１８】
さらに、上側部分の下端部に動作的に保持されて前記下側部分の上側の広がりを包囲するカプラ・ボディを含み、前記カプラ・ボディが前記上側部分に、前記カプラ・ボディに対する前記上側部分の回転を許すものの前記カプラ・ボディに対する前記上側部分の鉛直方向の調節を防止するように保持されており、前記カプラ・ボディは、ボディから下側部分のキー溝内へ延びるキーを含むことにより、前記上側部分の回転が結果として相応に上側部分の凹部内で下側部分のハブを下降させるか又は持ち上げる、請求項１７に記載のパンチ・ホルダ。
【請求項１９】
前記上側部分のカプラ・ボディが、前記ボディの横方向外面に構成された複数の切り欠きを有しており、前記切り欠きが前記横方向外面の周りに均一に分配されている、請求項１８に記載のパンチ・ホルダ。
【請求項２０】
さらに、前記第１カラーと前記カプラ・ボディとの間に保持された１つ又は２つ以上のインデックス部材を含み、前記１つ又は２つ以上のインデックス部材は、前記第１カラーの回転に応じてカプラ・ボディの横方向外面の周りで前記複数の切り欠きの内外に移動するようになっており、隣接する切り欠きの間のインデックス部材の移動は、上側部分に対する下側部分の対応する高さ調節量を表す、請求項１９に記載のパンチ・ホルダ。
【手続補正２】
【補正対象書類名】図面
【補正対象項目名】図５Ｄ
【補正方法】変更
【補正の内容】
【図５Ｄ】
2016518993.tif 000001
【手続補正３】
【補正対象書類名】図面
【補正対象項目名】図８Ｄ
【補正方法】変更
【補正の内容】
【図８Ｄ】
2016518993.tif 000002